(57)【要約】【課題】  携帯電話機に設けられているバイブレーションユニット及びハードディスク装置で一つのモータ装置を兼用可能として、部品点数の削減及び当該携帯電話機の製造コストのローコスト化を図る。【解決手段】  モータ装置１３でハードディスク装置１０を回転駆動する場合には空回りをする接続子１５を介して、該モータ装置１３とバイブレーションユニット９とを接続する。また、モータ装置１３でバイブレーションユニット９を回転駆動する場合には空回りする接続子１４を介して、該モータ装置１３とハードディスク装置１０とを接続する。これにより、一つのモータ装置１３を兼用してバイブレーションユニット９及びハードディスク装置１０を排他的に駆動することができる。従って、必要とするモータ装置を一つに削減することができ、この部品点数の削減を通じて当該携帯電話機の製造コストのローコスト化を図ることができる。【選択図】  図２
2007306151.tif 000002
【特許請求の範囲】
【請求項１】
全体的或いは部分的に回転することで機能する第１の機能、及び全体的或いは部分的に回転することで機能する第２の機能を備えた携帯端末装置であって、
回転駆動時にそれぞれ同方向に回転する第１の回転子及び第２の回転子を備えたモータ装置と、
上記モータ装置の上記第１の回転子と上記第１の機能との間に挿入接続された第１の接続子と、
上記モータ装置の上記第２の回転子と上記第２の機能との間に挿入接続された第２の接続子と
を有し、
上記第１の機能を機能させる際に上記モータ装置が第１の回転方向に回転駆動された場合、上記第１の接続子は、上記モータ装置の第１の回転子の回転力を該第１の機能に伝達するのに対して、上記第２の接続子は、上記モータ装置の第２の回転子から上記第２の機能に伝達される回転力を遮断するように動作し、上記第２の機能を機能させる際に上記モータ装置が上記第１の回転方向とは反対の回転方向である第２の回転方向に回転駆動された場合、上記第１の接続子は、上記モータ装置の第１の回転子から上記第１の機能に伝達される回転力を遮断するのに対して、上記第２の接続子は、上記モータ装置の第２の回転子の回転力を該第２の機能に伝達するように動作すること
を特徴とする携帯端末装置。
【請求項２】
請求項１に記載の携帯端末装置であって、
上記第１の接続子は、
上記第１の機能に接続された第１の回転部材と、
上記モータ装置の上記第１の回転子に接続され、上記第１の機能を機能させる際に上記モータ装置が上記第１の回転方向に回転駆動された場合、該モータ装置の回転力を上記第１の回転部材に伝達し、上記第２の機能を機能させる際に上記モータ装置が上記第２の回転方向に回転駆動された場合、上記第１の回転部材に対する上記モータ装置の回転力の伝達を遮断する回転力伝達／遮断機構を備えた第２の回転部材と
を有し、
上記第２の接続子は、
上記第２の機能に接続された第１の回転部材と、
上記モータ装置の上記第２の回転子に接続され、上記第２の機能を機能させる際に上記モータ装置が上記第２の回転方向に回転駆動された場合、該モータ装置の回転力を上記第１の回転部材に伝達し、上記第１の機能を機能させる際に上記モータ装置が上記第１の回転方向に回転駆動された場合、上記第１の回転部材に対する上記モータ装置の回転力の伝達を遮断する回転力伝達／遮断機構を備えた第２の回転部材と
を有すること
を特徴とする携帯端末装置。
【請求項３】
請求項２に記載の携帯端末装置であって、
上記第１の接続子の上記第１の回転部材は当接部を有し、
上記第１の接続子の上記第２の回転部材の回転力伝達／遮断機構は、上記モータ装置が上記第１の回転方向に回転駆動された場合、上記当接部に当接して、該モータ装置の回転力を上記第１の回転部材に伝達し、上記モータ装置が上記第２の回転方向に回転駆動された場合、上記当接部に当接した際に該第２の回転方向に回転移動することで、上記モータ装置から上記第１の回転部材に伝達される回転力を遮断し、
上記第２の接続子の上記第１の回転部材は当接部を有し、
上記第２の接続子の上記第２の回転部材の回転力伝達／遮断機構は、上記モータ装置が上記第２の回転方向に回転駆動された場合、上記当接部に当接して、該モータ装置の回転力を上記第１の回転部材に伝達し、上記モータ装置が上記第１の回転方向に回転駆動された場合、上記当接部に当接した際に該第１の回転方向に回転移動することで、上記モータ装置から上記第１の回転部材に伝達される回転力を遮断すること
を特徴とする携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、ノート型のパーソナルコンピュータ装置等に適用して好適な携帯端末装置に関し、特にハードディスクドライブ装置やバイブレーションユニット等のモータ装置を用いて駆動する２つの機能（装置）を一つのモータ装置を兼用して駆動可能とした携帯端末装置に関する。
【背景技術】
【０００２】
特開２００３−１７９６７１号の公開特許公報（特許文献１）に、バイブレータ及びハードディスク装置が設けられている通信装置において、バイブレータによる着信通知を行った際に、その振動で、ハードディスク装置のデータの入出力に異常を発生させる不都合等を防止した通信装置が開示されている。
【０００３】
この通信装置の場合、着信を検出すると、ハードディスク装置のヘッドを所定の退避位置に退避させると共に、ハードディスク装置に対するアクセスを禁止したうえでバイブレータを駆動する。これにより、着信通知用のバイブレータとハードディスク装置とを排他的に動作させることができ、バイブレータによる着信通知を行う際に、その振動で、ハードディスク装置のデータの入出力に異常を発生させる不都合を防止することができる。
【０００４】
【特許文献１】特開２００３−１７９６７１号公報（第５頁〜第６頁：図１）
【発明の開示】
【発明が解決しようとする課題】
【０００５】
しかし、上述の特許文献１に開示されている通信装置の場合、バイブレータを駆動させるためのモータ装置、及びハードディスク装置を駆動させるためのモータ装置の計２つのモータ装置が必要となる。このため、必要とするモータ装置の数が多い分、部品点数の増加から通信装置の製造コストが高くなる問題がある。
【０００６】
本発明は上述の課題に鑑みてなされたものであり、例えばバイブレータとハードディスク装置等のように、駆動の際にモータ装置を必要とする２つの機能を、一つのモータ装置を兼用して排他的に駆動可能とすることで、必要とするモータ装置を一つとし、この部品点数の削減を通じて製造コストのローコスト化を図った携帯端末装置の提供を目的とする。
【課題を解決するための手段】
【０００７】
本発明に係る携帯端末装置は、全体的或いは部分的に回転することで機能する第１の機能、及び全体的或いは部分的に回転することで機能する第２の機能を備えた携帯端末装置であって、上述の課題を解決するための手段として、
回転駆動時にそれぞれ同方向に回転する第１の回転子及び第２の回転子を備えたモータ装置と、
上記モータ装置の上記第１の回転子と上記第１の機能との間に挿入接続された第１の接続子と、
上記モータ装置の上記第２の回転子と上記第２の機能との間に挿入接続された第２の接続子と
を有する。
【０００８】
そして、上記第１の機能を機能させる際に上記モータ装置が第１の回転方向に回転駆動された場合、上記第１の接続子は、上記モータ装置の第１の回転子の回転力を該第１の機能に伝達するのに対して、上記第２の接続子は、上記モータ装置の第２の回転子から上記第２の機能に伝達される回転力を遮断するように動作し、上記第２の機能を機能させる際に上記モータ装置が上記第１の回転方向とは反対の回転方向である第２の回転方向に回転駆動された場合、上記第１の接続子は、上記モータ装置の第１の回転子から上記第１の機能に伝達される回転力を遮断するのに対して、上記第２の接続子は、上記モータ装置の第２の回転子の回転力を該第２の機能に伝達するように動作する。
【０００９】
これにより、一つのモータ装置を兼用して上記第１の機能及び第２の機能を排他的に動作させることができる。
【発明の効果】
【００１０】
本発明は、一つのモータ装置を兼用して２つの機能を排他的に駆動することができるため、２つの機能を駆動するために必要となるモータ装置を一つに削減することができ、この部品点数の削減を通じて製造コストのローコスト化を図ることができる。
【００１１】
また、一方の機能に対してモータ装置の回転による駆動力を伝達している場合は、他方の機能に対するモータ装置の回転による駆動力の伝達を遮断するようになっている。このため、一方の機能を例えば右回り方向に回転駆動した際に、通常駆動時には右回り方向に回転駆動する他方の機能に対して、左回り方向の駆動力（＝通常駆動時の反対回り方向の駆動力）が与えられ、他方の機能に対して過大な負荷がかかる不都合を防止することができる。
【発明を実施するための最良の形態】
【００１２】
本発明は、携帯電話機に適用することができる。
【００１３】
［携帯電話機の構成］
この本発明の実施の形態となる携帯電話機は、図１に示すように基地局との間で無線通信を行うアンテナ１及び通信回路２と、着信音や受話音声等の音響出力を得るためのスピーカ部３と、送話音声を集音するマイクロホン部４と、画像（動画像、静止画像等）や文字等を表示するための表示部５と、文字等の入力操作や所定のメニューの選択操作等を行うための操作部６、発着信等を光で知らせるための発光部７（LED：Light Emitting Diode）とを有している。
【００１４】
また、この携帯電話機は、所望の被写体の静止画像或いは動画像を撮像するためのカメラ部８と、当該携帯電話機の筐体を振動させて発着信等をユーザに知らせるためのバイブレーションユニット９と、大容量メモリとしてのハードディスク装置１０と、各種プログラムや情報等が記憶されたメモリ１１と、当該携帯電話機全体の動作を制御する制御部１２とを有している。
【００１５】
上記メモリ１１には、基地局を介した無線通信処理を行うための通信処理プログラム（コミュニケーションプログラム）、カメラ部８を撮像制御するためのカメラ制御プログラム、音楽データを再生するための音楽プレーヤプログラム、この音楽プレーヤプログラムで再生される音楽データ、スケジュール帳、電話帳、発着信した電子メールのデータ、電話や電子メールの発着信履歴等が記憶されている。
【００１６】
［一つのモータ装置を２つの機能で兼用した構成］
バイブレーションユニット９を駆動するためのモータ装置、及びハードディスク装置１０を駆動するためのモータ装置は、一つのモータ装置１３で兼用されている。具体的には、図２に示すように、このモータ装置１３の回転子２１は、当該モータ装置１３の筐体の上面部及び底面部からそれぞれ突出しており、このうち、モータ装置１３の筐体の上面部から突出した回転子２１は、接続子１４を介してハードディスク装置１０の磁気ディスクの回転軸部に接続されている。また、モータ装置１３の筐体の底面部から突出した回転子２１は、接続子１５を介してバイブレーションユニット９の振動子に接続されている。
【００１７】
〔接続子の構成〕
図３に、ハードディスク装置１０側に設けられている接続子１４の要部が見えるように輪切りにした状態の図を示す。この図３に示すように接続子１４は、円筒形状の外部回転筐体３１と、この外部回転筐体３１内に設けられた内部回転筐体３２とを有している。
【００１８】
内部回転筐体３２は、モータ装置１３の回転子２１に固定して設けられた回転軸部３４と、モータ装置１３の回転子２１を中心として放射状に位置するように回転軸部３４に設けられた４枚の回転羽３３とを有している。一例ではあるが、この回転羽３３は、楕円形状の円板部材を、それぞれ当該円板部材の中心を通り、かつ、直交する２本の直線に沿って切断した形状を有しており、それぞれ回転子２１近傍となる部分を介して回転接続ピン３５により回転軸部３４に接続されている。
【００１９】
また、回転軸部３４にはストッパ３６が設けられており、各回転羽３３は、バネ部材により、各ストッパ３６に対してそれぞれ当接する方向に付勢されている。そして、各回転羽３３は、このストッパ３６により、時計回り方向（図３中Ａ方向）への回転移動が規制されるようになっている。
【００２０】
一方、外部回転筐体３１には、その内周壁に沿って、上記内部回転筐体３２に設けられた各回転羽３３と当接する当接部３７が設けられている。図３の例の場合、この当接部３７は、回転軸部３４が図中Ａ方向に回転した場合及び図中Ｂ方向に回転した場合のいずれの場合も各回転羽３３に当接するのであるが、回転軸部３４が図中Ｂ方向に回転した場合には、当接部３７に当接した回転羽３３の回転移動がストッパ３６により規制され、回転軸部３４の回転力が回転羽３３及び当接部３７を介して外部回転筐体３１に伝達され、回転軸部３４の回転と共に外部回転筐体３１が回転するようになっている。
【００２１】
これに対して、回転軸部３４が図中Ａ方向に回転した場合には、当接部３７に当接した回転羽３３が、上記バネ部材により付勢されている方向と反対の方向である図中Ｃの矢印で示す方向に回転移動し、回転軸部３４の回転力が外部回転筐体３１には伝達されず、内部回転筐体３２のみが回転するようになっている。
【００２２】
一方、図４は、バイブレーションユニット９側に設けられている接続子１５の要部が見えるように輪切りにした状態の図である。この図４及び上記図３を見比べてわかるように、接続子１４及び接続子１５共に構成部材は同じなのであるが、この接続子１５は接続子１４に対して反対の動作を示すようになっている。
【００２３】
具体的には、図４に示す接続子１５の回転軸部３４が図４中Ａ方向に回転した場合には、当接部３７に当接した回転羽３３の回転移動がストッパ３６により規制され、回転軸部３４の回転力が回転羽３３及び当接部３７を介して外部回転筐体３１に伝達され、回転軸部３４の回転と共に外部回転筐体３１が回転するようになっている。
【００２４】
また、図４に示す接続子１５の回転軸部３４が図中Ｂ方向に回転した場合には、当接部３７に当接した回転羽３３が、上記バネ部材により付勢されている方向と反対の方向である図中Ｃの矢印で示す方向に回転移動し、回転軸部３４の回転力が外部回転筐体３１には伝達されず、内部回転筐体３２のみが回転するようになっている。
【００２５】
なお、図３及び図４に示した接続子１４，１５の例では、内部回転筐体３２に設けられる回転羽３３は４枚であり、この回転羽３３の枚数に対応させて、外部回転筐体３１には４つの当接部３７を設けることとしたが、例えば「回転羽３３の枚数を２枚とし当接部３７の数を２つ」とし、或いは「回転羽３３の枚数を６枚とし当接部３７の数を６つ」とする等のように、回転羽３３や当接部３７の数を複数とするのであれば、設計等に応じて任意の数に変更してもよい。
【００２６】
このような接続子１４及び接続子１５は、ハードディスク装置１０を駆動するようにモータ装置１３を回転駆動した場合には、このモータ装置１３の回転力がハードディスク装置１０にのみ伝達され（＝バイブレーションユニット９にはモータ装置１３の回転力が伝達されず）、バイブレーションユニット９を駆動するようにモータ装置１３を回転駆動した場合には、このモータ装置１３の回転力がバイブレーションユニット９にのみ伝達されるように（＝ハードディスク装置１０にはモータ装置１３の回転力が伝達されないように）、上記ハードディスク装置１０及びバイブレーションユニット９にそれぞれ設けられている。
【００２７】
すなわち、ハードディスク装置１０の磁気ディスクは、接続子１４の外部回転筐体３１に接続されており、図３に示すＢ方向にモータ装置１３が回転駆動された場合に、内部回転筐体３２の各回転羽３３が外部回転筐体３１の当接部３７と当接し、モータ装置１３の回転力が、接続子１４の内部回転筐体３２を介して外部回転筐体３１に伝達されるように、ハードディスク装置１０に対して接続子１４が設けられている。
【００２８】
これに対して、バイブレーションユニット９の振動子は、接続子１５の外部回転筐体３１に接続されているのであるが、上記ハードディスク装置１０の駆動方向である上記Ｂ方向にモータ装置１３が回転駆動された場合には、内部回転筐体３２の各回転羽３３が外部回転筐体３１の当接部３７に当接した際に図３中Ｃ方向に回転移動し、外部回転筐体３１内を内部回転筐体３２が空回りすることで、モータ装置１３の回転力が外部回転筐体３１に伝達されないように、バイブレーションユニット９に対して接続子１５が設けられている。
【００２９】
簡言すれば、ハードディスク装置１０を回転駆動するようにモータ装置１３を回転駆動した場合には、バイブレーションユニット９側の接続子１５の内部回転筐体３２が空回りするように、また、バイブレーションユニット９を回転駆動するようにモータ装置１３を回転駆動した場合には、ハードディスク装置１０側の接続子１４の内部回転筐体３２が空回りするように、該ハードディスク装置１０に対しては接続子１４が設けられ、バイブレーションユニット９に対しては接続子１５が設けられている。
【００３０】
［接続子の動作］
このような実施の形態の携帯電話機において、制御部１２は、バイブレーションユニット９を振動駆動する場合と、ハードディスク装置１０を回転駆動する場合とで、それぞれ極性を反転させた制御電圧をモータ装置１３に供給するようになっており、例えばハードディスク装置１０を回転駆動する場合には、モータ装置１３を例えば「反時計回り方向」に回転駆動し、バイブレーションユニット９を回転駆動する場合には、モータ装置１３を例えば「時計回り方向」に回転駆動するようになっている。
【００３１】
〔ハードディスク装置を回転駆動する場合〕
まず、所定のデータの書き込み時や読み出し時にハードディスク装置１０を回転駆動する場合、制御部１２は、モータ装置１３を上記「反時計回り方向」に回転駆動制御する。上述のように、ハードディスク装置１０の磁気ディスクは、図３に示す接続子１４の外部回転筐体３１に接続されている。このため、モータ装置１３を「反時計回り方向」に回転駆動すると、このモータ装置１３の回転子２１に接続された上記接続子１４の内部回転筐体３２が図３に示すＢ方向に回転駆動され、各回転羽３３が外部回転筐体３１の当接部３７に当接する。この際、各回転羽３３の回転移動は、ストッパ３６により規制される。
【００３２】
このため、モータ装置１３の回転力が、各回転羽３３及び当接部３７を介して、内部回転筐体３２から外部回転筐体３１に伝達され、内部回転筐体３２と共に外部回転筐体３１が「反時計回り方向」に回転する。
【００３３】
これにより、外部回転筐体３１に接続されているハードディスク装置１０の磁気ディスクが「反時計回り方向」に回転駆動され、所定のデータの書き込み時や読み出しが可能となる。
【００３４】
一方、バイブレーションユニット９側に設けられている接続子１５は、ハードディスク装置１０の回転駆動時にモータ装置１３の回転子２１が上記「反時計回り方向」に回転駆動されると、該モータ装置１３の回転子２１に接続された接続子１５の内部回転筐体３２が、図４に示すＢ方向に回転する。この回転により、接続子１５の内部回転筐体３２に設けられている各回転羽３３は、外部回転筐体３１の当接部３７に当接するのであるが、この当接の度合いに応じて各回転羽３３は矢印Ｃ方向に回転移動し、該各回転羽３３が当接部３７に引っ掛かることなく、外部回転筐体３１内を内部回転筐体３２が空回りする。
【００３５】
このため、モータ装置１３の回転力は、接続子１５の外部回転筐体３１に接続されているバイブレーションユニット９の振動子に対しては伝達されず、バイブレーションユニット９は、見かけ上、停止状態となる。
【００３６】
これにより、バイブレーションユニット９及びハードディスク装置１０で、一つのモータ装置１３を兼用したことで、ハードディスク装置１０の回転駆動時にバイブレーションユニット９までもが振動駆動されてしまい、このバイブレーションユニット９の振動の影響で、ハードディスク装置１０に対するデータの書き込みや読み出しに支障を来す不都合を防止することができる。
【００３７】
〔バイブレーションユニットを振動駆動する場合〕
次に、電話着信時や携帯メールの着信時等にバイブレーションユニット９を振動駆動する場合、制御部１２は、モータ装置１３を上記「時計回り方向」に回転駆動制御する。上述のように、バイブレーションユニット９の振動子は、図４に示す接続子１５の外部回転筐体３１に接続されている。このため、モータ装置１３を「時計回り方向」に回転駆動すると、このモータ装置１３の回転子２１に接続された上記接続子１５の内部回転筐体３２が図４に示すＡ方向に回転駆動され、各回転羽３３が外部回転筐体３１の当接部３７に当接する。この際、各回転羽３３の回転移動は、ストッパ３６により規制される。
【００３８】
このため、モータ装置１３の回転力が、各回転羽３３及び当接部３７を介して、内部回転筐体３２から外部回転筐体３１に伝達され、内部回転筐体３２と共に外部回転筐体３１が「時計回り方向」に回転する。
【００３９】
これにより、外部回転筐体３１に接続されているバイブレーションユニット９の振動子が「時計回り方向」に回転駆動され、この振動子により、当該携帯電話機の筐体が振動されることとなる。
【００４０】
一方、ハードディスク装置１０側に設けられている接続子１４は、バイブレーションユニット９の回転駆動時にモータ装置１３の回転子２１が上記「時計回り方向」に回転駆動されると、該モータ装置１３の回転子２１に接続された接続子１４の内部回転筐体３２が、図４に示すＡ方向に回転する。この回転により、接続子１４の内部回転筐体３２に設けられている各回転羽３３は、外部回転筐体３１の当接部３７に当接するのであるが、この当接の度合いに応じて各回転羽３３は矢印Ｃ方向に回転移動し、該各回転羽３３が当接部３７に引っ掛かることなく、外部回転筐体３１内を内部回転筐体３２が空回りする。
【００４１】
このため、モータ装置１３の回転力は、接続子１４の外部回転筐体３１に接続されているハードディスク装置１０の磁気ディスクに対しては伝達されず、ハードディスク装置１０は、見かけ上、停止状態となる。
【００４２】
これにより、バイブレーションユニット９の振動駆動時には、ハードディスク装置１０を停止状態とすることができ、一つのモータ装置１３を兼用したことで、バイブレーションユニット９の振動駆動とハードディスク装置１０の回転駆動を同時に行うことで、バイブレーションユニット９の振動の影響で、ハードディスク装置１０に対するデータの書き込みや読み出しに支障を来す不都合を防止することができる。
【００４３】
［実施の形態の効果］
以上の説明から明らかなように、この実施の形態の携帯電話機は、モータ装置１３の筐体の上面部から突出した回転子２１を、接続子１４の内部回転筐体３２に接続し、接続子１４の外部回転筐体３１をハードディスク装置１０に接続し、モータ装置１３の筐体の底面部から突出した回転子２１を、上記接続子１４とは反対の動作を行う接続子１５の内部回転筐体３２に接続し、接続子１５の外部回転筐体３１をバイブレーションユニット９に接続する。
【００４４】
これにより、ハードディスク装置１０を回転駆動するようにモータ装置１３を回転駆動した場合には、バイブレーションユニット９側に設けられた接続子１５の内部回転筐体３２が外部回転筐体３１内を空回りするため、モータ装置１３の回転力がバイブレーションユニット９には伝達されず、ハードディスク装置１０のみを回転駆動してバイブレーションユニット９を停止状態とすることができる。
【００４５】
また、バイブレーションユニット９を回転駆動するようにモータ装置１３を回転駆動した場合には、ハードディスク装置１０側に設けられた接続子１４の内部回転筐体３２が外部回転筐体３１内を空回りするため、モータ装置１３の回転力がハードディスク装置１０には伝達されず、バイブレーションユニット９のみを回転駆動してハードディスク装置１０を停止状態とすることができる。
【００４６】
このため、一つのモータ装置１３を用いてバイブレーションユニット９及びハードディスク装置１０を排他的に駆動することができる。従って、バイブレーションユニット９及びハードディスク装置１０を駆動するために必要となるモータ装置を一つに削減することができ、この部品点数の削減を通じて当該携帯電話機の製造コストのローコスト化を図ることができる。
【００４７】
また、バイブレーションユニット９及びハードディスク装置１０を排他的に駆動することができるため、例えばバイブレーションユニット９を回転駆動した場合に、ハードディスク装置１０に対して、通常の回転方向の反対方向に回転させる回転力が加わり、ハードディスク装置１０に対して過大な負荷がかかる不都合を防止することができる。
【００４８】
また、ハードディスク装置１０の回転駆動時には、バイブレーションユニット９を停止状態とすることができるため、バイブレーションユニット９の振動がハードディスク装置１０に対するデータの書き込みや読み出しに悪影響を与える不都合を防止することができる。
【００４９】
［変形例］
上述の実施の形態の説明では、バイブレーションユニット９及びハードディスク装置１０の２つの機能を一つのモータ装置１３を兼用して駆動することとしたが、この他、例えばハードディスク装置１０とＤＶＤ装置を一つのモータ装置１３を兼用して駆動する等のように、他の２つの機能を一つのモータ装置を兼用して駆動するようにしてもよい。この場合でも、上述と同じ効果を得ることができる。
【００５０】
また、図３を用いて説明した各接続子１４、１５の構成はあくまでも一例であり、一方の機能を回転駆動した場合には他方の機能に対するモータ装置の回転力の伝達を規制し、反対に他方の機能を回転駆動した場合には一方の機能に対するモータ装置の回転力の伝達を規制するような構成の手段を用いればよい。これにより、２つの機能を排他的に動作させることができるため、上述と同じ効果を得ることができる。
【００５１】
また、上述の実施の形態の説明では、本発明を携帯電話機に適用することとしたが、本発明は、この携帯電話機の他、ＰＨＳ電話機（PHS：Personal Handyphone System）、通信機能を有するＰＤＡ装置（PDA：Personal Digital Assistant）やノート型のパーソナルコンピュータ装置等の他の携帯端末装置に適用してもよい。この場合でも、上述と同じ効果を得ることができる。
【００５２】
最後に、本発明は、本発明の一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００５３】
【図１】本発明を適用した実施の形態となる携帯電話機のブロック図である。
【図２】実施の形態の携帯電話機において、バイブレーションユニット及びハードディスク装置で、一つのモータ装置が兼用されている様子を示す図である。
【図３】実施の形態の携帯電話機に設けられているハードディスク装置とモータ装置とを接続する接続子を示す図である。
【図４】実施の形態の携帯電話機に設けられているバイブレーションユニットとモータ装置とを接続する接続子を示す図である。
【符号の説明】
【００５４】
１  アンテナ、２  通信回路、３  スピーカ部、４  マイクロホン部、５  表示部、６  操作部、７  発光部（ＬＥＤ）、８  カメラ部、９  バイブレーションユニット、１０  ハードディスク装置、１１  メモリ、１２  制御部、１３  モータ装置、１４  バイブレーションユニットとモータ装置とを接続する接続子、１５  ハードディスク装置とモータ装置とを接続する接続子、２１  モータ装置の回転子、３１  外部回転筐体、３２  内部回転筐体、３３  内部回転筐体に設けられた回転羽、３４  モータ装置の回転子に接続される内部回転筐体の回転軸部、３５  回転軸部に回転羽を接続する回転接続ピン、３６  回転羽の所定方向の回転移動を規制するストッパ、３７  回転羽が当接する外部回転筐体の当接部
【図１】
2007306151.tif 000003
【図２】
2007306151.tif 000004
【図３】
2007306151.tif 000005
【図４】
2007306151.tif 000006